(57)【要約】【課題】箱状樋とドレン本体との隙間から入り込んできた水が箱状樋の外部に漏れ出ることを確実に防止でき、かつ、その水を支持板の支持片部および鍔部を通じて排水パイプへと誘導して排出できる排水ドレン装置を提供する。【解決手段】排水ドレン装置Ａの構成部材である支持板２は、支持板２の支持片部２３の上面から鍔部２２の内底面の先端に通じる排水誘導溝部Ｂを備えており、箱状樋Ｔの底部Ｔ１と、ドレン本体１の延設片１４との隙間から入り込み、支持片部２３に流れ込んでくる漏水を効果的に集めて、排水パイプ５内へと排水できる構造となっている。【選択図】図１
2011089295.tif 000002
【特許請求の範囲】
【請求項１】
箱状に形成した箱状樋の底部と前壁部との入隅部における上記前壁部に排水用取付孔を開設し、その排水用取付孔に取り付けて上記箱状樋に溜まった雨水等を排水パイプに排水するための排水ドレン装置であって、
上記箱状樋の内側に設置されるドレン本体部と、上記箱状樋の外側に設置される支持板と、これらドレン本体部および支持板を連結可能な筒状ネジとより構成され、
上記ドレン本体部は、上記前壁部内面に添接される縦片を備えて縦断面略Ｌ状に形成され、上記縦片に排水孔を開設し、この排水孔の周縁から外方に向けて、上記排水用取付孔を貫通する筒状の排水管差込筒部を突設し、この排水管差込筒部の先端部の外周面に上記筒状ネジが螺着されるネジ部を有した構造とされ、
上記支持板は、上記前壁部外面に添接される縦片部と、この縦片部の下端から延設された、上記底部外面に添接される支持片部とを備えて縦断面略Ｌ状に形成され、上記縦片部に上記排水管差込筒部を挿通する挿通孔を開設し、この挿通孔の周縁から外方に向けて、上記排水パイプが外嵌される環状の鍔部を突設した構造とされ、
上記支持板は、上記支持片部の上面から上記鍔部の内底面の先端に通じる排水誘導溝部を備えて、上記支持片部に流れ込んだ漏水を集めて排水するようにしたことを特徴とする排水ドレン装置。
【請求項２】
請求項１において、
上記支持板の支持片部は、上面の周縁に堰部を備え、その堰部の内側を水溜り部とした形状とされ、
上記排水誘導溝部は、上記支持片部の水溜り部と、上記鍔部の内底面に形成され、上記水溜り部に連通した溝部とにより構成されている排水ドレン装置。
【請求項３】
請求項１において、
上記支持板の支持片部は、上面の周縁に堰部を備え、その堰部の内側を水溜り部とし、さらにその水溜り部に凹溝を有した形状とされ、
上記排水誘導溝部は、上記支持片部の凹溝と、上記鍔部の内底面に形成され、上記凹溝と連通した溝部とにより構成されている排水ドレン装置。
【発明の詳細な説明】
【技術分野】
【０００１】
本発明は、箱状樋の排水用取付孔に取り付けて箱状樋に溜まった雨水等を排水パイプに排水するための排水ドレン装置に関する。
【背景技術】
【０００２】
マンションの共通廊下やベランダ等（以下、「ベランダ等」と略す）に発生する水は、一般に箱状樋の底部の隅部に開設された排水口を通じて排水されるが、近年では、上方が開放された箱状樋をベランダ等に設置し、箱状樋の底部と前壁部との入隅部における前壁部に排水用取付孔を開設し、その排水用取付孔に取り付けて、箱状樋に溜まった雨水等を排水するための横引き用の排水ドレン装置が知られている（例えば、特許文献１参照）。
【０００３】
図７は、このような従来の排水ドレン装置２００を示す分解斜視図であり、図８（ａ）、（ｂ）および図９（ｃ）、（ｄ）は、図７で示した排水ドレン装置およびこれを用いてなる排水ドレン構造を示す縦断面図である。
【０００４】
すなわち、この排水ドレン構造は、ベランダ等に、上方が開放された箱状に形成した箱状樋１００を設置して、この箱状樋１００の底部１０１と前壁部１０２との入隅部１１０における前壁部１０２側に排水用取付孔１０３を開設し、この開設された排水用取付孔１０３に排水ドレン装置２００を取り付けて、ベランダ等に生じた水を排水するものである。
【０００５】
具体的には、排水ドレン装置２００は、箱状樋１００の前壁部１０２の内側に設置されるドレン本体部２０１と、箱状樋１００の前壁部１０２を介して前壁部１０２の外側に設置される支持板２０２と、ドレン本体部２０１および支持板２０２を挟着する筒状ネジ２０３とで構成されている。
【０００６】
そして、支持板２０２に開設した取付孔２１２を、排水用取付孔１０３の外側に重合するとともに、支持板２０２を底部１０１および前壁部１０２の外面に添接し、この重合した排水用取付孔１０３および取付孔２１２に向けて、ドレン本体部２０１の外方に向けて突設した排水管差込筒部２１１を、前壁部１０２の内側から貫通する（図８（ａ）参照）。
【０００７】
さらに、この貫通された排水管差込筒部２１１に、筒状ネジ２０３を排水管差込筒部２１１の先端から外嵌して螺着すれば、図中矢印で示すように、支持板２０２が前壁部１０２の外側から圧着するとともに、排水管差込筒部２１１が外側に引っ張られて、ドレン本体部２０１が前壁部１０２の内側から圧着する（図８（ｂ）、図９（ｃ）参照）。
【０００８】
このように、筒状ネジ２０３を螺着すれば、ドレン本体部２０１および支持板２０２が前壁部１０２を挟着した状態で連結され、排水ドレン装置２００を箱状樋１００の排水用取付孔１０３に取り付けできる（図９（ｃ）参照）。
【０００９】
最後に、このように取り付けた排水ドレン装置２００の筒状ネジ２０３に、排水パイプ３００等を内嵌して連結し、ベランダ等に生じた水Ｗを排水パイプ３００を通じて排水するのである（図９（ｄ）参照）。
【先行技術文献】
【特許文献】
【００１０】
【特許文献１】特開２０００−３５２１５７号公報  図３
【発明の概要】
【発明が解決しようとする課題】
【００１１】
しかしながら、この排水ドレン装置２００には、以下の問題があった。
【００１２】
すなわち、前述のようにして箱状樋１００の排水用取付孔１０３に排水ドレン装置２００を取り付けた場合、ドレン本体部２０１および支持板２０２は、前壁部１０２を挟着して、相互に圧着して取り付けられているが、底部１０１を挟着したドレン本体部２０１の延設片２２１と、支持板２０２の支持片部２２２との間には圧着関係はない。
【００１３】
そのため、図９（ｄ）の拡大図に示すように、ドレン本体部２０１の延設片２２１と、箱状樋１００の底部１０１との間のシール剤による接合部分に、この接合部分付近に溜まった水Ｗが、図中矢印に示すように、毛細管現象で延設片２２１の端部から僅かな隙間ｔを通じて入り込み、さらに底部１０１と、支持板２０２の支持片部２２２との間に入り込んで、箱状樋１００の外部に漏れ出してしまうという危険があった。
【００１４】
また、上記接合部分から水が排水ドレン装置内に入り込んでも、装置内でその水を溜めておけるような構造とすれば水の漏れ出しは防止できるが、滞留水の腐敗や、滞留水による箱状樋の腐食の発生のおそれがあるため、装置内に入り込んできた水を滞留させることなく排水パイプへ排出できるような排水ドレン装置の開発が望まれていた。
【００１５】
なお、この従来の排水ドレン構造によれば、図９（ｃ）、（ｄ）に示すように、排水パイプ３００を筒状ネジ２０３に内嵌する構造であるため、水Ｗは図中矢印に示すように、支持板２０２と筒状ネジ２０３との間を通じて漏れ出るおそれもあった。
【００１６】
本発明は、かかる課題を考慮して提案されたもので、その目的は、箱状樋とドレン本体との隙間から入り込んできた水が箱状樋の外部に漏れ出ることを確実に防止でき、かつ、その水を支持板の支持片部および鍔部を通じて排水パイプへと誘導して排出できる排水ドレン装置を提供することにある。
【課題を解決するための手段】
【００１７】
上記目的を達成するために、請求項１に記載の排水ドレン装置は、箱状に形成した箱状樋の底部と前壁部との入隅部における上記前壁部に排水用取付孔を開設し、その排水用取付孔に取り付けて箱状樋に溜まった雨水等を排水パイプに排水するための排水ドレン装置であって、箱状樋の内側に設置されるドレン本体部と、箱状樋の外側に設置される支持板と、これらドレン本体部および支持板を連結可能な筒状ネジとより構成され、ドレン本体部は、前壁部内面に添接される縦片を備えて縦断面略Ｌ状に形成され、縦片に排水孔を開設し、この排水孔の周縁から外方に向けて、排水用取付孔を貫通する筒状の排水管差込筒部を突設し、この排水管差込筒部の先端部の外周面に筒状ネジが螺着されるネジ部を有した構造とされ、支持板は、前壁部外面に添接される縦片部と、この縦片部の下端から延設された、底部外面に添接される支持片部とを備えて縦断面略Ｌ状に形成され、縦片部に排水管差込筒部を挿通する挿通孔を開設し、この挿通孔の周縁から外方に向けて、排水パイプが外嵌される環状の鍔部を突設した構造とされ、支持板は、支持片部の上面から鍔部の内底面の先端に通じる排水誘導溝部を備えて、支持片部に流れ込んだ漏水を集めて排水するようにしたことを特徴とする。
【００１８】
請求項２に記載の排水ドレン装置は、支持板の支持片部は、上面の周縁に堰部を備え、その堰部の内側を水溜り部とした形状とされ、排水誘導溝部は、支持片部の水溜り部と、鍔部の内底面に形成され、水溜り部に連通した溝部とにより構成されている。
【００１９】
請求項３に記載の排水ドレン装置は、支持板の支持片部は、上面の周縁に堰部を備え、その堰部の内側を水溜り部とし、さらにその水溜り部に凹溝を有した形状とされ、排水誘導溝部は、支持片部の凹溝と、鍔部の内底面に形成され、凹溝と連通した溝部とにより構成されている。
【発明の効果】
【００２０】
請求項１に記載の排水ドレン装置によれば、支持板は支持片部の上面から鍔部の内底面の先端に通じる排水誘導溝部を備えて、支持片部に流れ込んできた水を集めて排水するようにしているので、万一、ドレン本体部と箱状樋の底部との僅かな隙間を通じて支持片部の上面に水が流れ込んだとしても、その水は排水誘導溝部を通じて、鍔部の先端から、鍔部と筒状ネジとの端部間の隙間を通って排水パイプ内に落ち込み、支持片部の端部から箱状樋の外部に水が漏れ出すことなく、排水パイプ内を流れる主排水とともに下流へ流すことができる。このように漏水を排水パイプへ排出できるので、排水ドレン装置内に水が滞留することも防止でき、その結果、滞留水の腐敗や、滞留水による箱状樋の腐食の発生を防止できる。
【００２１】
請求項２に記載の排水ドレン装置によれば、支持板の支持片部は、上面の周縁に堰部を備え、その堰部の内側を水溜り部とした形状とされ、排水誘導溝部は周縁の堰部に囲まれた支持片部の水溜り部と、鍔部の内底面に形成され、水溜り部に連通した溝部とにより構成されている。つまり、支持片部の周縁の堰部に囲まれた水溜り部が排水誘導溝部の一部を構成しているので、支持片部の上面に溜まった漏水を有効にもれなく集めて、鍔部の溝部へと誘導することができる。また、支持片部の周縁には堰部が形成されているので、漏水の支持片部の下方への漏れ出しを防止できる。
【００２２】
請求項３に記載の排水ドレン装置によれば、支持板の支持片部は、上面の周縁に堰部を備え、その堰部の内側を水溜り部とし、さらにその水溜り部に凹溝を有した形状とされ、排水誘導溝部は支持片部の凹溝と、鍔部の内底面に形成され、上記凹溝と連通した溝部とにより構成されている。つまり、支持片部の周縁の堰部に囲まれた水溜り部内に排水誘導溝部の一部をなす凹溝が形成されているので、支持片部の上面に溜まった漏水をスムーズに鍔部の溝部へと誘導することができる。また、支持片部の周縁には堰部が形成されているので、漏水の支持片部の下方への漏れ出しを防止できる。
【図面の簡単な説明】
【００２３】
【図１】本発明に係る排水ドレン装置の一実施形態を示した分解斜視図である。
【図２】（ａ）、（ｂ）は、図１で示した排水ドレン装置を用いてなる排水ドレン構造を示す縦断面図である。
【図３】（ｃ）、（ｄ）は、同排水ドレン装置を用いてなる排水ドレン構造を示す縦断面図である。
【図４】（ａ）は図３（ｄ）のＸで示した要部拡大縦断面図、（ｂ）は同横断面図である。
【図５】（ａ）〜（ｄ）は、排水誘導溝部の他４例を示す要部横断面図である。
【図６】（ａ）、（ｂ）は、排水誘導溝部のさらに他２例を示す要部横断面図である。
【図７】従来の排水ドレン装置を示す分解斜視図である。
【図８】（ａ）、（ｂ）は、図７で示した排水ドレン装置を用いてなる排水ドレン構造を示す縦断面図である。
【図９】（ｃ）、（ｄ）は、同排水ドレン装置を用いてなる排水ドレン構造を示す縦断面図である。
【発明を実施するための形態】
【００２４】
以下に、本発明の実施の形態について、図面を参照しながら説明する。
【００２５】
図１は、本発明に係る排水ドレン装置の一実施形態を示した分解斜視図であり、図２（ａ）、（ｂ）および図３（ｃ）、（ｄ）は、図１で示した排水ドレン装置を用いてなる排水ドレン構造を示す縦断面図である。また、図４（ａ）は図３（ｄ）のＸで示した要部拡大縦断面図、図４（ｂ）は同横断面図である。
【００２６】
本発明の排水ドレン装置Ａは、ベランダ等に設置される、上方が開放され箱状に形成した箱状樋Ｔの底部Ｔ１と前壁部Ｔ２との入隅部Ｔ３における前壁部Ｔ２側に排水用取付孔Ｈを開設し、その排水用取付孔Ｈに取り付けて箱状樋Ｔに溜まった雨水等を排水するものであって、前壁部Ｔ２の内側に設置されるドレン本体部１と、前壁部Ｔ２の外側に設置される支持板２と、これらドレン本体部１および支持板２を連結可能な筒状ネジ３とを備えている。
【００２７】
ドレン本体部１は、縦断面略Ｌ状に形成され、前壁部Ｔ２の内面に添接される縦片１１には排水孔１２が開設され、この排水孔１２の周縁から外方に向けて、排水用取付孔Ｈに貫通する筒状の排水管差込筒部１３が突設され、さらに、この排水管差込筒部１３の先端には、外周面にネジ山を形成したネジ部１３ａを設けた構造となっている。また、ドレン本体部１の縦片１１の下端には、箱状樋Ｔの底部Ｔ１に接合する延設片１４が形成されている。
【００２８】
なお、排水孔１２の上部には、格子状のゴミ除け部１２ａが形成してあり、雨水以外のごみ、木の葉等を堰き止めて、箱状樋Ｔに溜まった雨水等だけをスムーズに排水するようにしている。
【００２９】
支持板２は、箱状樋Ｔの前壁部Ｔ２の外面に添接される縦片部２１と、この縦片部２１の下端から延設された、底部Ｔ１の外面に添接される支持片部２３とを備えて縦断面略Ｌ状に形成されている。
【００３０】
この縦片部２１には、排水管差込筒部１３を挿通する挿通孔２１ａが設けられ、この挿通孔２１ａの周縁から外方に向けて、排水管差込筒部１３を挿通する環状の鍔部２２が突設されている。
【００３１】
また、支持片部２３は、その上面の周縁に堰部２５を備え、その堰部２５に囲まれた内側の凹所を水溜り部２４とした構造となっている。そして、支持片部２３の水溜り部２４には凹溝２４ａが形成してあり、その凹溝２４ａと、鍔部２２の内底面に鍔部２２の先端まで通じるようにした溝部２２ａとよりなる排水誘導溝部Ｂが、支持板２に形成されている。なお、本実施形態で示した凹溝２４ａは、支持片部２３の対向する辺縁を結ぶ直線路２４ａａと、その直線路２４ａａの中央から鍔部２２の溝部２２ａの入口までを結ぶ中央路２４ａｂとでＴ字状に形成されている。
【００３２】
この排水誘導溝部Ｂを構成する凹溝２４ａと溝部２２ａとは、底面がほぼ面一状に連成されており、水が滞りなく鍔部２２の先端へ流れるようになっている。この排水誘導溝部Ｂは、本発明の最大の特徴であり、その詳細は図２〜図４で後述する。
【００３３】
一方、筒状ネジ３は、両端が開口され、内周面には、排水管差込筒部１３のネジ部１３ａのネジ山に螺着可能なネジ溝３１が形成されており、支持板２の挿通孔２１ａに挿通させたドレン本体部１の排水管差込筒部１３のネジ部１３ａに螺着することで、ドレン本体部１と支持板２とを固定する構造となっている。
【００３４】
なお、本実施形態では、排水管差込筒部１３の基部の外周上部に、排水管差込筒部１３の先端に向けて降下傾斜した傾斜突部１３ｂが形成されている。
【００３５】
以上のように３部材を連結して構成された排水ドレン装置Ａは、箱状樋Ｔに取り付けされた状態で、支持板２の鍔部２２と、それに隣接して固着された筒状ネジ３とに排水パイプ５が外嵌されて、排水ドレン構造が形成される。
【００３６】
以下、この排水ドレン構造について説明する。
【００３７】
まず、支持板２に開設した挿通孔２１ａを、箱状樋Ｔの排水用取付孔Ｈの外側に重合するようにして、支持板２を底部Ｔ１および前壁部Ｔ２の外面に添接し、この重合した排水用取付孔Ｈおよび挿通孔２１ａに向けて、ドレン本体部１の外方に向けて突設した排水管差込筒部１３を、前壁部Ｔ２の内側から貫通する（図２（ａ）参照）。
【００３８】
つぎに、この貫通された排水管差込筒部１３に、筒状ネジ３を排水管差込筒部１３の先端に形成したネジ部１３ａに螺合していくと、筒状ネジ３が支持板２の鍔部２２先端に当接し、さらに、筒状ネジ３を螺合して鍔部２２全体、すなわち支持板２全体を内方（図中の右向き塗りつぶし矢印方向）に押圧していくと、排水管差込筒部１３が外側に引っ張られて、ドレン本体部１が前壁部Ｔ２の内側に圧着される（図２（ｂ）、図３（ｃ）参照）。
【００３９】
この圧着動作の際、支持板２の縦片部２１および鍔部２２は傾斜突部１３ｂに沿って内方に移動しようとし、それにともない圧着度合いは強くなって、ドレン本体部１と支持板２とは、それらの間に箱状樋Ｔを挟んだ状態で強固に隙間なく連結、固定される。
【００４０】
そして、このように箱状樋Ｔに取り付けた排水ドレン装置Ａの支持板２の鍔部２２に、排水パイプ５を外嵌すると、その後、ベランダ等に生じた水Ｗを排水パイプ５を通じて排水させることができる（図３（ｄ）参照）。
【００４１】
なお、ドレン本体部１の延設片１４の下面と、箱状樋Ｔの底部Ｔ１の上面との間、および、支持板２の支持片部２３の上面と、箱状樋Ｔび底部Ｔ１の下面との間にシール剤（不図示）を介在させることで箱状樋Ｔから外部への漏水の防止を図っている。
【００４２】
以上のような排水ドレン構造によれば、箱状樋Ｔを流れてくる水Ｗは排水管差込筒部１３の筒内を通過し排水パイプ５内に流れ込むが、ドレン本体部１の延設片１４と、箱状樋Ｔの底部Ｔ１との僅かな隙間ｔのシール剤の付着が不十分な箇所等を通じて、毛細管現象で入り込み、支持片部２３の上面に水（漏水）Ｗが回り込んでくることがある（図３（ｄ）および図４参照）。なお、図４における矢印は水（漏水）Ｗの流れを示している。
【００４３】
このようにして入り込んできた漏水は、支持片部２３の周縁に設けられた堰部２５で堰き止められるので外には漏れ出ることはなく水溜り部２４にいったん溜まり、さらにその水Ｗは、水溜り部２４に形成された凹溝２４ａに集められ、鍔部２２の内底面の溝部２２ａへ流れ込み、鍔部２２の先端へと流れ着いて、鍔部２２の端部と筒状ネジ３の端部との間のわずかな隙間を毛細管現象で伝っていき、排水パイプ５内に流れ落ちる。
【００４４】
ここで、水溜り部２４に溜まった水Ｗをスムーズに凹溝２４ａに集めるために、水溜り部２４の上面を凹溝２４ａに向けて降下傾斜させておくことが望ましく、また排水誘導溝部Ｂ（凹溝２４ａおよび溝部２２ａ）に流れ込んできた水Ｗをスムーズに排水パイプ５内へ流すためには、図４（ａ）に示すように、凹溝２４ａおよび溝部２２ａの底面を下流（排水パイプ５側）へ向けて降下傾斜させておくことが望ましい。
【００４５】
このような排水誘導溝部Ｂを設けた構造によれば、水溜り部２４に入り込んできた水Ｗを滞留させることなく確実に排水パイプ５内へと誘導させ排水することができる。つまり、このような排水ドレン構造によれば、箱状樋Ｔの外側への漏水はもちろん防止できるし、さらに水溜り部２４内の水の滞留も防止できるので、滞留水の腐敗や、滞留水による箱状樋Ｔの腐食の発生を防止できる。
【００４６】
ついで、排水誘導溝部Ｂの他例について説明する。図５（ａ）〜（ｄ）は排水誘導溝部Ｂの他４例を示す要部横断面図であり、図６（ａ）、（ｂ）はさらに他の２例を示す要部横断面図である。なお、これらの図例ではドレン本体部１の図示を省略している。また図中の矢印は支持片部２３上の水の流れを示している。
【００４７】
これら６例に示した排水誘導溝部Ｂはともに、鍔部２２の内底面には、図１の溝部２２ａと同形状の溝部２２ａが同位置に形成されているが、支持片部２３の上面の水溜り部２４については形状等が図１のものとは相異する。
【００４８】
図５（ａ）に示した水溜り部２４の凹溝２４ａは、鍔部２２の溝部２２ａと直線状に連なるように形成されており、一方、図５（ｂ）に示した凹溝２４ａは、鍔部２２の溝部２２ａの入口に合流するように形成された２本の凹溝２４ａより構成されている。なお、これら２例では、水溜り部２４の上面の凹溝２４ａが形成されていない部分に水勾配を設けることが望ましい。
【００４９】
また、図５（ｃ）、（ｄ）に示した例では、水溜り部２４に凹溝は形成されておらず、水溜り部２４の全体と、鍔部２２の溝部２２ａとより排水誘導溝部Ｂを構成している。また、図５（ｃ）に示した水溜り部２４は平坦面であるが、図５（ｄ）に示した水溜り部２４は中央で折曲して断面がＶ字状となっており、そのＶ字の最下部２４ｂが鍔部２２の溝部２２ａの上流側の延長上に配されており、水を集めやすい形状となっている。
【００５０】
このように、支持片部２３の周縁の堰部２５に囲まれた水溜り部２４の全体が排水誘導溝部Ｂの一部を構成しているので、支持片部２４の上面に溜まった漏水を有効にもれなく集めて、鍔部２２の溝部２２ａへと誘導することができる。
【００５１】
図６（ａ）に示した例では、排水誘導溝部Ｂは図１のものと同一の形状であるが、支持片部２３の周縁に堰部が形成されていない点で図１のものと相異する。このように堰部が形成されていなくても、支持片部２３の上面に、凹溝２４ａへ水が流れるような傾斜面が形成されていれば、箱状樋Ｔの底部Ｔ１から水が漏れ出ることなく、排水誘導溝部Ｂを通って排水パイプ５へと水を排出させることができる。
【００５２】
また、図６（ｂ）に示した例では、鍔部２２の溝部２２ａの先端が切り欠かれており、その切欠き部２２ｂを通じて、排水誘導溝部Ｂを流れてきた水Ｗを排水パイプ５へ滞りなく流し落とせるようになっている。このように切欠き部２２ｂを設けてあれば、水Ｗをスムーズに排出できるとともに、支持板２の鍔部２２の先端端部と、筒状ネジ３の端部との接触部分に毛細管現象で水が行き渡り滞留してしまうことを防止できる。
【符号の説明】
【００５３】
Ｔ      箱状樋
Ｔ１      底部
Ｔ２      前壁部
Ｔ３      入隅部
Ｈ      排水用取付孔
Ａ      排水ドレン装置
１      ドレン本体部
１１      縦片
１２      排水孔
１３      排水管差込筒部
１３ａ      ネジ部
１３ｂ      傾斜突部
１４      延設片
２      支持板
２１      縦片部
２１ａ      挿通孔
２２      鍔部
２２ａ      溝部
２２ｂ      切欠き部
２３      支持片部
２４      水溜り部
２４ａ      凹溝
２５      堰部
３      筒状ネジ
３１      ネジ溝
５      排水パイプ
Ｂ      排水誘導溝部
【図１】
2011089295.tif 000003
【図２】
2011089295.tif 000004
【図３】
2011089295.tif 000005
【図４】
2011089295.tif 000006
【図５】
2011089295.tif 000007
【図６】
2011089295.tif 000008
【図７】
2011089295.tif 000009
【図８】
2011089295.tif 000010
【図９】
2011089295.tif 000011